(57)【要約】【課題】通信の緊急性を判断する機能や、周囲の騒音を検知するマイク等の手段を要することなく、比較的簡単な回路構成もしくは制御プログラムによって、ボリューム設定を小さくしている状態で、他の無線通信機からの呼び出しがあった場合に、十分な音量で通知する機能を実現すること。【解決手段】本発明に係る無線通信機では、スケルチ回路を含んだ受信部と、ボリューム調整回路と低周波増幅回路と音声再生出力手段と含んだ音声出力部とを備えた無線通信機において、前記スケルチ回路が開き、且つ、前記ボリューム調整回路におけるボリューム設定が所定のしきい値未満に設定されているときに、前記ボリューム調整回路におけるボリューム設定より大きいボリューム設定の音量で、所定の警告音を前記音声再生出力手段から再生出力するように制御する警報制御手段を備えた。【選択図】図１
2014187458.tif 000002
【特許請求の範囲】
【請求項１】
スケルチ回路を含んだ受信部と、ボリューム調整回路と低周波増幅回路と音声再生出力手段と含んだ音声出力部とを備えた無線通信機において、
前記スケルチ回路が開き、且つ、前記ボリューム調整回路におけるボリューム設定が所定のしきい値未満に設定されているときに、前記ボリューム調整回路におけるボリューム設定より大きいボリューム設定の音量で、所定の警告音を前記音声再生出力手段から再生出力するように制御する警報制御手段を備えたことを特徴とする無線通信機。
【請求項２】
前記警報制御手段は、所定の警告音を生成して、生成した警告音を、前記ボリューム調整回路を経由せずに前記低周波増幅回路に直接入力するように構成されていることを特徴とする請求項１に記載の無線通信機。
【発明の詳細な説明】
【技術分野】
【０００１】
本発明は、無線通信機の受信待ち受け状態において、ボリューム設定を小さくしている状態で、他の無線通信機からの呼び出しがあった場合に、十分な音量で通知する機能に関するものである。
【背景技術】
【０００２】
無線通信機を受信待ち受け状態で運用する際は、通常、周囲の騒音が大きい場合や、自分から呼び出して相手からの返答を待つ場合は、ボリュームツマミまたはボリュームボタンを操作して、受信音量を上げて待ち受けを行う。周囲の騒音がさらに大きい場合は、イヤホンを装着して受信音声を聞き取りやすくする。
周囲が静かになると、今度は突然の大音量の受信音声で驚かないようにボリューム設定を下げて待ち受けを行う。
しかし、このように受信音量を下げて待ち受けを行っている状態で再び周囲の騒音が大きくなってくると、相手からの呼び出しに気づきにくいという問題がある。
このような使用状況の例としては、例えば、祭において複数の神輿や山車やだんじりが順番に使用者の前を通りすぎる状況がある。このような使用状況では、神輿や山車やだんじりが近づくと囃子等の鳴り物や掛け声等が大きな騒音となるが、通り過ぎると静かになるという状況があり、無線通信機を用いての相互連絡において、上記同様の問題があった。
【先行技術文献】
【特許文献】
【０００３】
【特許文献１】特開平１１−５５７０６号公報
【特許文献２】特許第５０４５６５５号公報
【発明の概要】
【発明が解決しようとする課題】
【０００４】
上述したように、受信音量のボリュームを下げて待ち受けを行っている状態で再び周囲の騒音が大きくなってくると、相手からの呼び出しに気づきにくいので、ボリュームを上げておく必要があるが、このようなボリュームの調整操作は煩雑であって忘れやすいという問題がある。
なお、特許文献１には、無線子機が基地局から緊急呼び出し信号を受信すると、自動的に音声出力を最大値に切り換えるように制御する技術が開示されている。
また、特許文献２には、待ち受け中にスケルチが開いたときに周囲の騒音レベルを判定しておき、スケルチが開いたときの騒音レベルが一定以上且つ受信信号強度レベルが一定以上の場合に、ボリュームを自動的に上げるように制御する技術が開示されている。
【０００５】
しかし、これらの特許文献に開示されている技術は、通信の緊急性や周囲の状況などに応じて受信音量を自動的に調節するものである。
このような自動調節機能を実現するためには、通信の緊急性を判断する機能や、周囲の騒音を検知するマイク等の手段が必要になり、無線通信機のコストアップの問題や、小型化に対する問題があり、携帯用の無線通信機には採用しにくいという問題があった。
そこで、本発明は、通信の緊急性を判断する機能や、周囲の騒音を検知するマイク等の手段を要することなく、比較的簡単な回路構成もしくは制御プログラムによって、ボリューム設定を小さくしている状態で、他の無線通信機からの呼び出しがあった場合に、十分な音量で通知する機能を実現することを目的としてなされたものである。
【課題を解決するための手段】
【０００６】
本発明の請求項１に係る無線通信機では、
スケルチ回路を含んだ受信部と、ボリューム調整回路と低周波増幅回路と音声再生出力手段と含んだ音声出力部とを備えた無線通信機において、
前記スケルチ回路が開き、且つ、前記ボリューム調整回路におけるボリューム設定が所定のしきい値未満に設定されているときに、前記ボリューム調整回路におけるボリューム設定より大きいボリューム設定の音量で、所定の警告音を前記音声再生出力手段から再生出力するように制御する警報制御手段を備えたことを特徴とする無線通信機。
請求項２では、
前記警報制御手段は、所定の警告音を生成して、生成した警告音を、前記ボリューム調整回路を経由せずに前記低周波増幅回路に直接入力するように構成されている。
【発明の効果】
【０００７】
本発明に係る無線通信機によれば、
スケルチ回路が開き、且つ、ボリューム調整回路におけるボリューム設定が所定のしきい値未満に設定されているときに、前記ボリューム調整回路におけるボリューム設定より大きい音量で、所定の警告音を再生出力するので、
使用者がボリューム設定を小さくしたままの状態で、周囲の騒音が大きくなったときに、呼び出しがあった場合でも、十分大きな音量の警告音が再生出力されて呼び出しが通知されるので、使用者に対して手動操作によってボリューム設定を上げることを促すことができる。したがって、使用者は、所望のボリューム設定に設定して受信内容を確実に聴くことができる。
【０００８】
なお、周囲の騒音状況等に応じて自動的に受信音量を調整する機能を備えた無線通信機は従来よりあるが、本発明では、警告音を聴いた使用者が手動操作によってボリューム設定を行うので、前記自動的な受信音量の調整技術に比較して、大きすぎることも無く、小さすぎることもない、所望のボリューム設定で受信することが可能となる。
また、受信に気付かないことを防ぐためにボリューム設定を大きくしていたために、受信した信号が大きな音量でイヤホンから聞こえて驚くこともない。したがって、安心して、ボリューム設定を小さくしておくことができる。
また、周囲の騒音状況等に応じて自動的に受信音量を調整する機能を備えた従来の無線通信機のように、騒音検出のためのマイクが不要であり、比較的簡単な構成で実現可能であるというメリットがある。
【図面の簡単な説明】
【０００９】
【図１】本発明に係る無線通信機の実施形態のブロック図である。
【図２】実施例１の制御プログラムのフローチャートである。
【図３】実施例２の制御部の要部のブロック図である。
【発明を実施するための形態】
【００１０】
以下に、本発明に係る無線通信機を実施するための形態を、図面を参照して詳細に説明する。
図１において、
１は例えば携帯可能な無線通信機であり、受信部２と音声出力部３と制御部４を備えている。ここでは送信部に関しての説明は省略する。
前記受信部２は、アンテナ、高周波信号処理回路、スケルチ回路２１、復調回路もしくは検波回路等の受信に必要な回路構成を備えている。この受信部２はデジタル信号処理によって構成してもよい。
前記音声出力部３は、電子ボリューム等のボリューム調整回路３１、低周波増幅回路３２、スピーカ３３、イヤホン接続部３４等の音声処理に必要は回路構成を備えている。
なお、前記スピーカ３３およびイヤホン接続部３４は、特許請求の範囲に記載された音声再生出力手段に対応する構成である。
前記制御部４は、前記受信部２、前記音声出力部３、図示しない表示部や操作部等を系統的に制御する機能を備えているとともに、本発明の特徴を構成する警報制御手段を備えている。
【００１１】
前記制御部４に備えられている前記警報制御手段は、条件判断手段４１と警告制御手段４２とを含んでいる。
前記条件判断手段４１には、
前記スケルチ回路２１からスケルチ開情報が入力され、
前記ボリューム調整回路３１からボリューム設定情報が入力され、
前記スケルチ開情報が、前記スケルチ回路２１が開いていることを示しており、且つ、
前記ボリューム設定情報が、現在のボリューム設定が所定のしきい値未満であることを示しているときに、警告出力制御信号を出力するように構成されている。
【００１２】
前記警告制御手段４２は、前記条件判断手段４１から前記警告出力制御信号が出力されたとき、所定の警告音声を生成して、前記音声出力部３の前記低周波増幅回路３２の警告音声入力端子３２１に入力し、前記ボリューム調整回路におけるボリューム設定より大きく十分に大きな所定の音量で出力するように構成されている。
前記警告音声入力端子３２１は、前記ボリューム調整回路３１の後段であって、前記ボリューム調整回路３１のボリューム設定の影響を受けない回路部分に設定されている。
【００１３】
前記警告音声は、ＣＰＵを制御するプログラムで生成するビープ音などでもよく、予め所定の警告音声を録音した記憶手段から読み出して生成した録音音声や合成音声でもよく、所定の警告音声発生回路を制御して生成したものでもよい。
【００１４】
上記構成の無線通信機１において、受信状態で信号の入感を待って待機している状態では、信号の入感がないときには前記スケルチ回路２１は閉じており、前記音声出力部３へは低周波信号は入力されない。所定の信号が入感すると、前記スケルチ回路２１が開いて、前記受信した信号を復調もしくは検波した低周波信号が前記音声出力部３へ入力され、前記スピーカ３３もしくは前記イヤホン接続部３４に接続されたイヤホンから出力される。
【００１５】
以上の通常の音声出力の動作と並行して、次のような警報制御手段が作動する。
前記警報制御手段では、
前記制御部４の前記条件判断手段４１に、前記スケルチ回路２１からスケルチ開情報が入力され、前記ボリューム調整回路３１からボリューム設定情報が入力される。
そして、前記スケルチ開情報が、前記スケルチ回路２１が開いていることを示しており、且つ、前記ボリューム設定情報が、現在のボリューム設定が所定のしきい値未満であることを示しているときには、警告出力制御信号を出力し、
前記スケルチ開情報が、前記スケルチ回路２１が開いていることを示していても、前記ボリューム設定情報が、現在のボリューム設定が所定のしきい値以上であることを示しているときには、警告出力制御信号を出力しない。
【００１６】
前記警告制御手段４２は、前記条件判断手段４１から前記警告出力制御信号が出力されたとき、所定の警告音声を生成して、前記スピーカ３３もしくは前記イヤホン接続部３４に接続されたイヤホンから、十分に大きな所定の音量で再生出力する。
前記生成された警告音声は、前記ボリューム調整回路３１の後段であって、前記ボリューム調整回路３１のボリューム設定の影響を受けない回路部分に配設された前記警告音声入力端子３２１から前記低周波増幅回路３２に入力されるので、前記ボリューム調整回路３１におけるボリューム設定が小さい音量に設定されていても、十分に大きな所定の音量で再生出力する。
【００１７】
以上のように、前記ボリューム調整回路３１におけるボリューム設定が所定のしきい値以上であれば、受信した信号が十分な音量で再生されるので、周囲の騒音があっても受信したことに気付くことができる。
そして、前記ボリューム調整回路３１におけるボリューム設定が所定のしきい値未満であれば、受信した信号の再生音量が小さいので、周囲の騒音が大きいときには受信したことに気付かないおそれが高いが、前記生成された警告音声が、前記ボリューム調整回路３１のボリューム設定に関係なく、十分に大きな所定の音量で再生出力されるので、周囲の騒音が大きくても受信したことに気付くことができる。前記生成された警告音声によって所定の信号を受信していることを認識できるので、前記ボリューム調整回路３１を手動操作して、適切な音量で前記受信した信号を、前記スピーカ３３もしくはイヤホンから再生出力することが可能となる。
【００１８】
このようにして、前記警報制御手段を備えることによって、前記ボリューム調整回路３１を自動制御することなく、比較的簡単な手段を備えることによって、周囲の騒音が大きくても受信に気付かないことを防ぐことができる。
また、受信に気付かないことを防ぐためにボリューム設定を大きくしていたために、受信した信号が大きな音量でイヤホンから聞こえて驚くこともない。したがって、安心して、ボリューム設定を小さくしておくことができる。
また、手動操作で所望のボリューム設定にするので、周囲の騒音に応じて適切な音量で聴くことができる。つまり、騒音が小さいときには、通常のボリューム設定に調整し、騒音が大きいときにはボリューム設定を大きくもしくは最大に調整することができる。
【実施例１】
【００１９】
前記制御部４における警報制御手段を、前記制御部４に含まれるＣＰＵの動作を制御する所定の制御プログラムで実現した場合の実施例１の動作を、図２に示したフローチャートを参照して説明する。
図２に示したフローチャートは、前記ＣＰＵの制御プログラムであり、前記制御部４に含まれる記憶手段に書き込まれている。
ステップＳ１では、
待ち受け状態（受信待機状態）で、前記スケルチ回路２１のスケルチ開閉状態を監視し、スケルチが開くまでループする。
受信した信号を検知してスケルチが開くと、ステップＳ２へ進み、前記ボリューム調整回路３１におけるボリューム設定値を読み取り、所定のしきい値未満であるか否かを確認する。
ボリューム設定値が所定のしきい値未満であるとステップＳ３へ進み、所定のしきい値以上であるとステップＳ４へ進む。
以上のステップＳ１からステップＳ２までが、前記条件判断手段４１に相当する処理である。
【００２０】
ステップＳ４では、受信した信号を、そのまま（前記所定のしきい値以上）のボリューム設定で再生出力する。この状態では、前記ボリューム調整回路３１におけるボリューム設定値を読み取り、所定のしきい値は所定のしきい値（十分な音量）以上であるので、受信した信号を十分な音量で聴くことができる。
ステップＳ３では、前記警告制御手段４２を制御して、所定の警告音声を、前記ボリューム調整回路３１におけるボリューム設定値に関わらず、十分な音量で再生出力する。
なお、ステップＳ３では、所定の警告音声を再生出力した後に、若干遅らせて、受信した信号を再生出力してもよいが、所定の警告音声の再生出力と並行して同時に、受信した信号を再生出力してもよい。
以上のステップＳ３が、前記警告制御手段４２に相当する処理である。
【００２１】
このようにして、前記警報制御手段の主な構成をソフトウエアで実現することによって、前記ボリューム調整回路３１を自動制御することなく、追加部品等を要しないで、比較的簡単な手段（制御プログラムによる制御手段）を備えることによって、周囲の騒音が大きくても受信に気付かないことを防ぐことができる。
また、受信に気付かないことを防ぐためにボリュームを大きくしていたために、受信した信号が大きな音量でイヤホンから聞こえて驚くこともない。したがって、安心して、ボリュームを小さくしておくことができる。
また、手動操作で所望のボリューム設定にするので、周囲の騒音に応じて適切な音量で聴くことができる。つまり、騒音が小さいときには、通常のボリュームに調整し、騒音が大きいときにはボリュームを大きくもしくは最大に調整することができる。
【実施例２】
【００２２】
以下においては、前記制御部４における警報制御手段をハードウエア回路構成で実現した実施例２を、図３を参照して説明する。
実施例２では、図３に示したように、前記警報制御手段を、コンパレータ回路５１と、ＡＮＤ回路５２と、警告音声生成回路５３と、ゲート回路５４等のハードウエア回路構成で実現している。
前記コンパレータ回路５１には、前記ボリューム調整回路３１のボリューム設定電圧信号が入力され、所定のしきい値と比較され、前記しきい値未満のときには前記ＡＮＤ回路５２の一方の入力をアクティブにする。前記ＡＮＤ回路５２の他方の入力は、前記スケルチ回路２１が開いているときにアクティブになる。
前記前記ＡＮＤ回路５２の出力がアクティブになると前記ゲート回路５４が開き、前記警告音声生成回路５３にて生成された警告音声信号が前記ゲート回路５４を通過して、前記警告音声入力端子３２１から前記低周波増幅回路３２に入力されるので、前記ボリューム調整回路３１におけるボリューム設定が小さい音量に設定されていても、十分に大きな所定の音量で再生出力される。なお、前記ゲート回路５４に代えてスイッチ回路等を用いることもできる。
以上の、コンパレータ回路５１とＡＮＤ回路５２とが、前記条件判断手段４１に相当する構成であり、警告音声生成回路５３とゲート回路５４とが、前記警告制御手段４２に相当する構成である。
【００２３】
以上のように、前記制御部４における警報制御手段をハードウエア回路構成で実現することによって、ＣＰＵやその制御プログラムを備えることなく、簡単な回路の追加で、本願発明の効果が得られる。
【産業上の利用可能性】
【００２４】
本願発明は、デジタル簡易無線機、携帯用の各種無線通信機、およびアマチュア無線機等に広く利用することができる。
【符号の説明】
【００２５】
１  無線通信機
２  受信部
２１  スケルチ回路
３  音声出力部
３１  ボリューム調整回路
３２  低周波増幅回路
３３  スピーカ、音声再生出力手段
３４  イヤホン接続部、音声再生出力手段
４  制御部、警報制御手段
４１  条件判断手段
４２  警告制御手段
【図１】
2014187458.tif 000003
【図２】
2014187458.tif 000004
【図３】
2014187458.tif 000005